(57)【特許請求の範囲】
【請求項１】
Ｌ字形状の一辺を形成する第一辺と、上記Ｌ字形状の他辺を形成し上記第一辺の一端に接続し交差して形成された第二辺と、上記第一辺の他端に形成されて上記第二辺と対面して配置された第一掛合歯と、上記第二辺の反上記第一辺側の端部に形成されて上記第一辺と対面して配置された第二掛合歯と、上記第一辺及び第二辺の少なくとも一方に設けられて上記Ｌ字形状の出隅部側の面に設けられた取付片とを備え、上記第一辺は、その入隅部側の面が、横断面において上記Ｌ字形状の入隅部側の面に対応した形状を有する取付部材の一方の出隅部側の面にあてがわれ、上記第二辺は、その入隅部側の面が上記取付部材の他方の出隅部側の面に押圧されることにより、上記第一辺との交差箇所が押し広げられ弾性変形して、その入隅部側の面が上記取付部材の他方の出隅部側の面に重合され、上記第一掛合歯及び上記第二掛合歯は、各々と対向する上記取付部材の縁部にそれぞれ掛合されることを特徴とするＬ形取付金具。
【請求項２】
第一辺及び第二辺におけるＬ字形状の入隅部側の面に設けられた滑り防止面を備えたことを特徴とする請求項１記載のＬ形取付金具。
【請求項３】
取付片を、ねじ棒によって構成されたものとしたことを特徴とする請求項１及び請求項２のいずれか一つに記載のＬ形取付金具。
【発明の詳細な説明】
【０００１】
【発明の属する技術分野】
この発明は、山形鋼材等であって横断面形の少なくとも一部にＬ字形状部が形成された取付部材に対し、長手の適所に弾性体変形して嵌着されるＬ形取付金具に関する。
【０００２】
【従来の技術】
図５は、従来の取付金具の装着状態を示す図で、山形鋼材からなる取付部材を横断して示す図である。図において、１は山形鋼材からなる取付部材、２は取付部材１の長手の適所に装着された取付金具で、取付部材１における一辺の出隅部側の面に対向した第一面３、第一面３の一端が屈折されて第一面３とによってＬ字形を形成する第二面４及び第二面４に設けられて取付部材１における一辺の入隅部側の面を弾性変形して押圧する押圧片５によって構成されている。
【０００３】
従来の取付金具２は上記のように構成され、取付金具２の第一面３と押圧片５の間を取付部材１における一辺に押し込む。このような作業員の一動作によって、取付金具２の第一面３が取付部材１における一辺の出隅部側の面に重合して配置され、押圧片５が取付部材１における一辺の入隅部側の面を弾性変形して押圧する。これによって、取付部材１の長手の適所に取付金具２を装着するようになっている。
【０００４】
【発明が解決しようとする課題】
上記のような従来の取付金具では、一動作による簡単な操作によって取付部材１の長手の適所に容易に取付金具２を装着することができる。しかし、取付部材１の入隅部側の面に取付金具２の押圧片５が配置される。このため、取付部材１がＬ字形状の入隅部側の面によって移動体を案内するレール等である場合は、取付金具２が使用できないという問題点があった。
【０００５】
この発明は、かかる問題点を解消するためになされたものであり、横断面において少なくとも一部にＬ字形状部が形成された取付部材の出隅部側の面側のみを介して係止され、取付部材の長手の適所に容易に装着できるＬ形取付金具を得ることを目的とする。
【０００６】
【課題を解決するための手段】
この発明に係るＬ形取付金具においては、Ｌ字形状の一辺を形成する第一辺と、Ｌ字形状の他辺を形成し第一辺の一端に接続し交差して形成された第二辺と、第一辺の他端に形成されて第二辺と対面して配置された第一掛合歯と、第二辺の反第一辺側の端部に形成されて第一辺と対面して配置された第二掛合歯と、第一辺及び第二辺の少なくとも一方に設けられてＬ字形状の出隅部側の面に設けられた取付片とを備え、第一辺は、その入隅部側の面が、横断面においてＬ字形状の入隅部側の面に対応した形状を有する取付部材の一方の出隅部側の面にあてがわれ、第二辺は、その入隅部側の面が取付部材の他方の出隅部側の面に押圧されることにより、第一辺との交差箇所が押し広げられ弾性変形して、その入隅部側の面が取付部材の他方の出隅部側の面に重合され、第一掛合歯及び第二掛合歯は、各々と対向する取付部材の縁部にそれぞれ掛合される。
【０００７】
また、この発明に係るＬ形取付金具においては、第一辺及び第二辺におけるＬ字形状の入隅部側の面に形成された滑り防止面が設けられる。
【０００８】
また、この発明に係るＬ形取付金具においては、ねじ棒によって構成された取付片が設けられる。
【０００９】
【発明の実施の形態】
実施の形態１．
図１〜図３は、この発明の実施の形態の一例を示す図で、図１は正面図、図２は図１の側面図、図３は図１の取付金具の装着状態を示す図であり取付部材を横断して示す図である。図において、１は乗客コンベヤーの案内レールからなり横断面において山形鋼材形状をなす取付部材である。６は乗客コンベヤーの踏段ローラーで、取付部材１の入隅部側における上面を転動して案内される。
【００１０】
７は鋼材、硬質の合成樹脂材等からなるＬ形取付金具であり、Ｌ字形状の一辺を形成する第一辺８、Ｌ字形状の他辺を形成し第一辺８の一端に交差し接続して設けられてＬ字形状の入隅部において第一辺８との間に８５°程度の図１に示す角度θを形成して配置された第二辺９、第一辺８の他端に形成されて第二辺９と対面して配置された第一掛合歯１０、第二辺９の反第一辺８側の端部に形成されて第一辺８と対面して配置された第二掛合歯１１及び第一辺８に設けられてＬ字形状の出隅部側の面に配置されたねじ棒からなる取付片１２によって構成されている。
【００１１】
１３はローレット目等からなる滑り防止面で、第一辺８及び第二辺９におけるＬ字形状の入隅部側の面に設けられている。１４は取付板で、一側に取付片１２が挿通されてナット１５によってＬ形取付金具７に締結され、他側にはセンサーからなる機器１６が装着されている。
【００１２】
上記のように構成されたＬ形取付金具７が次に述べるようにして取付部材１に装着される。すなわち、Ｌ形取付金具７の第一辺８における入隅面が取付部材１の一方の出隅面にあてがわれ、第一掛合歯１０が対向した取付部材１の縁部に掛合される。そして、Ｌ形取付金具７の第二辺９の入隅部側の面が取付部材１の他方の出隅面に押圧されると、すなわち第一辺８と第二辺９との交差角度が押し広げられて、弾性変形し第二辺９の入隅部側の面が取付部材１の他方の出隅部側の面に重合される。
【００１３】
また、第二辺９の入隅部側の面が取付部材１の出隅部側の面に重合されると共に、第二掛合歯１１が対向した取付部材１の縁部に掛合される。このような作業員の一動作によって、図３に示すように取付部材１にＬ形取付金具７が嵌着されて、Ｌ形取付金具７の取付片１２及びナット１５を介して取付板１４の一側が締結され、また取付板１４の他側に機器１６が装着される。
【００１４】
そして、Ｌ形取付金具７の弾性変形及び滑り防止面１３の滑り防止作用とも相俟って、取付部材１にＬ形取付金具７の装着のための加工、部材を要することなく、取付部材１の長手に沿う適所にＬ形取付金具７を一動作によって容易に、また確実に装着することができる。また、横断面において少なくとも一部にＬ字形状部が形成された取付部材１の出隅部側の面のみを介してＬ形取付金具７が装着される。
【００１５】
したがって、取付部材１に沿う方向の適所に機器１６を少ない手数によって容易に配備することができ、機器１６の配備作業の能率を向上し費用を節減することができる。また、取付部材１の出隅部側の面のみを介してＬ形取付金具７が装着されるので、取付部材１の入隅部側の面を使用する場合に障害となる部材がなく、取付部材１の入隅部側の面を長手方向に連続して使用することができる。
【００１６】
実施の形態２．
図４は、この発明の他の実施の形態の一例を示す図で、前述の図３の要部に相当する図である。図において、前述の図１〜図３と同符号は相当部分を示し、１７は溝形鋼からなる取付部材で、横断面における一部にＬ形取付金具７の入隅部側の面に対応したＬ字形状部が形成されている。
【００１７】
上記のように構成された取付部材１７に対して、Ｌ形取付金具７が次に述べるようにして装着される。すなわち、Ｌ形取付金具７の入隅部側の面が取付部材１７の出隅部側の面に対向して配置され、Ｌ形取付金具７の入隅部側の面が押し広げられて弾性変形して取付部材１７の出隅部側の面に重合され、また第一掛合歯１０及び第二掛合歯１１がそれぞれ対向した取付部材１７の縁部に掛合されてＬ形取付金具７が取付部材１７に装着される。したがって、詳細な説明を省略するが図４の実施の形態においても、図１〜図３の実施の形態と同様な作用が得られる。
【００１８】
【発明の効果】
この発明は以上説明したように、Ｌ字形状の一辺を形成する第一辺と、Ｌ字形状の他辺を形成し第一辺の一端に接続し交差して形成された第二辺と、第一辺の他端に形成されて第二辺と対面して配置された第一掛合歯と、第二辺の反第一辺側の端部に形成されて第一辺と対面して配置された第二掛合歯と、第一辺及び第二辺の少なくとも一方に設けられてＬ字形状の出隅部側の面に設けられた取付片とを備え、第一辺は、その入隅部側の面が、横断面においてＬ字形状の入隅部側の面に対応した形状を有する取付部材の一方の出隅部側の面にあてがわれ、第二辺は、その入隅部側の面が取付部材の他方の出隅部側の面に押圧されることにより、第一辺との交差箇所が押し広げられ弾性変形して、その入隅部側の面が取付部材の他方の出隅部側の面に重合され、第一掛合歯及び第二掛合歯は、各々と対向する取付部材の縁部にそれぞれ掛合されるものである。
【００１９】
これによって、Ｌ形取付金具の入隅部側の面が取付部材の出隅部側の面に対向して配置され、Ｌ形取付金具の入隅部側の面が押し広げられて弾性変形して取付部材の出隅部側の面に重合される。これと共に、第一掛合歯及び第二掛合歯がそれぞれ対向した取付部材の縁部に掛合されてＬ形取付金具が取付部材に装着される。そして、取付片を介して所要機器を適所に容易に配備することができる。このような構成によって、取付部材にＬ形取付金具の装着のための加工、部材を要することなく取付部材の長手に沿う適所に、Ｌ形取付金具の弾性変形によってＬ形取付金具を容易にまた確実に装着することができる。したがって、取付部材の長手に沿う方向の適所に機器を少ない手数によって容易に配備することができ、機器の配備作業の能率を向上し費用を節減する効果がある。また、取付部材の出隅部側の面側のみを介してＬ形取付金具が装着されるので、取付部材の入隅部側の面を使用する場合に障害となる部材がなく、取付部材の入隅部側の面を長手方向に連続した使用を容易化する効果がある。
【００２０】
また、この発明は以上説明したように、第一辺及び第二辺におけるＬ字形状の入隅部側の面に形成された滑り防止面を設けたものである。
【００２１】
これによって、Ｌ形取付金具の入隅部側の面が取付部材の出隅部側の面に対向して配置され、Ｌ形取付金具の入隅部側の面が押し広げられて弾性変形して滑り防止面を介して取付部材の出隅部側の面に重合される。これと共に、第一掛合歯及び第二掛合歯がそれぞれ対向した取付部材の縁部に掛合されてＬ形取付金具が取付部材に装着される。そして、取付片を介して所要機器を適所に配備することができる。このような構成によって、取付部材にＬ形取付金具の装着のための加工、部材を要することなく取付部材の長手に沿う適所に、Ｌ形取付金具の弾性変形によってＬ形取付金具を容易にまた滑り防止面により確実に装着することができる。したがって、取付部材の長手に沿う方向の適所に機器を少ない手数によって容易に配備することができ、機器の配備作業の能率を向上し費用を節減する効果がある。また、取付部材の出隅部側の面側のみを介してＬ形取付金具が装着されるので、取付部材の入隅部側の面側を使用する場合に障害となる部材がなく、取付部材の入隅部側の面を長手方向に連続した使用を容易化する効果がある。
【００２２】
また、この発明は以上説明したように、ねじ棒によって構成された取付片を設けたものである。
【００２３】
これによって、Ｌ形取付金具の入隅部側の面が取付部材の出隅部側の面に対向して配置され、Ｌ形取付金具の入隅部側の面が押し広げられて弾性変形して取付部材の出隅部側の面に重合される。これと共に、第一掛合歯及び第二掛合歯がそれぞれ対向した取付部材の縁部に掛合されてＬ形取付金具が取付部材に装着される。そして、ねじ棒を介して所要機器を適所に配備することができる。このような構成によって、取付部材にＬ形取付金具の装着のための加工、部材を要することなく取付部材の長手に沿う適所に、Ｌ形取付金具の弾性変形によってＬ形取付金具を容易にまた確実に装着することができる。したがって、取付部材の長手に沿う方向の適所に機器を少ない手数によって容易に配備することができ、機器の配備作業の能率を向上し費用を節減する効果がある。また、取付部材の出隅部側の面側のみを介してＬ形取付金具が装着されるので、取付部材の入隅部側の面を使用する場合に障害となる部材がなく、取付部材の入隅部側の面を長手方向に連続した使用を容易化する効果がある。
【図面の簡単な説明】
【図１】  この発明の実施の形態１を示す正面図。
【図２】  図１の側面図。
【図３】  図１の取付金具の装着状態を示す図であり取付部材を横断して示す図。
【図４】  この発明の実施の形態２を示す図で、前述の図３の要部に相当する図。
【図５】  従来の取付金具の装着状態を示す図で、山形鋼材からなる取付部材を横断して示す図。
【符号の説明】
１  取付部材、    ８  第一辺、    ９  第二辺、    １０  第一掛合歯、
１１  第二掛合歯、    １２  取付片、    １３  滑り防止面。
【図１】
0004146161.tif 000002
【図２】
0004146161.tif 000003
【図３】
0004146161.tif 000004
【図４】
0004146161.tif 000005
【図５】
0004146161.tif 000006